(57)【要約】【課題】  装置の小型化及び低コスト化を実現し、汎用性に優れた活水の発生方法及び発生装置を提供する。【解決手段】  活水発生装置１０を、筒状容器１と、その両端には複数の貫通孔３Ａを有する円板３と金属の細い線を丸めた金属束子４を配し、表面近傍を通水することにより水を活水化するべく活性化処理した金属材５と、を備えた構成とする。そして、水管結合部材２Ａに流入した処理の対象となる水を金属材５の近傍を通過させることで水管結合部材２Ｂより活水が流出する。    【選択図】  図１
2009285562.tif 000002
【特許請求の範囲】
【請求項１】
表面近傍を通水することにより水を活水化するべく活性化処理した金属材の比表面積が大となるように筒状容器内に充填したことを特徴とする活水発生装置。
【請求項２】
前記筒状容器両端に多数個の貫通孔を有する円板を蓋とし、その両内側に金属の細い線を丸めた金属束子を配置する構造を特徴とする請求項1記載の活水発生装置。
【請求項３】
前記活水発生装置の内部に通水することによって水を活性化するようにしたことを特徴とする請求項１及び請求項２記載の活水発生方法。
【発明の詳細な説明】
【技術分野】
【０００１】
本発明は、活水発生方法及び活水発生装置に関するものである。
【背景技術】
【０００２】
近年、公共用水域についての水質状況は水質汚濁に係る環境基準等の規制により着実に改善されている。一方ではこの排水規制に適合すべく水を微細化しイオン化した上マイクロ波を照射し磁気処理してなることを特徴とする機能水製造装置が提案されている。（例えば、特許文献１）
【特許文献１】特開２００６−１３６８１０号  公報
【発明の開示】
【発明が解決しようとする課題】
【０００３】
しかしながら上記従来の構成では、水の微細化装置とイオン化装置とマイクロ波発生装置と磁気処理装置とを含み大型で且つ高価であり更に可動部があるため故障への対応やメンテナンスにもコストが必要という課題があった。
【０００４】
本発明は上記事情に鑑みてなされたものであり、汎用性に優れた活水発生方法及び活水発生装置を提供することを目的としている。
【課題を解決するための手段】
【０００５】
このような課題を解決するために、本発明者らは、自ら発明した暖房装置（特願２００６−２９８３１５号参照）を用いて空気を圧縮することで発生させた熱風について、サーモグラフィ等により鋭意研究を重ねた結果、この熱風の発生条件を適宜変更することにより、遠赤外線領域の５〜１０ＴＨｚ前後のテラヘルツと推測される共鳴電磁波が発生し、この熱風を自由電子の多い金属材に当てると自由電子が遠赤外線領域テラヘルツ波励起され、いわゆる遠赤外線領域テラヘルツ波効果が転写され、当該金属材表面近傍の水が活水化されることを見出し、本発明をなすに至った。
【０００６】
すなわち、上記課題を解決するために本発明の活水発生方法は、表面近傍を通水することにより水を活水化するべく活性化処理した金属材の比表面積が大となるように当該金属材を筒状容器内に充填し通水することであり、小型装置を用いて低コストで効率よく活水を発生させる作用を有することとなる。
【０００７】
また本発明の第２の活水発生装置は、当該金属材の両端であり且つ筒状容器の両端に多数個の貫通孔を有する円板を蓋として構成し当該線状金属材の位置を固定するものである。従って筒状容器内の水の単位時間当たりの流量を確保することにより効率よく活水を発生させる作用を有する。
【０００８】
また本発明の第３の活水発生方法は、当該金属材の両端と筒状容器両端の多数個の貫通孔を有する円板との間に金属の細い線を丸めた金属束子を配置するものである。従って当該金属材は多数個の貫通孔を有する円板の貫通孔を塞ぐことなく筒状容器内の水の単位時間当たりの流量を確保することにより効率よく活水を発生させる作用を有することとなる。
【発明の効果】
【０００９】
本発明に係る活水の発生方法によれば、小型装置を用いて、低コストで効率よく活水を発生させることができる。すなわち、本発明に係る活水装置によれば、装置の小型化及び低コストを実現でき、優れた汎用性が得られる。
【発明を実施するための最良の形態】
【００１０】
以下、本発明の実施形態について図面を参照しながら詳細に説明する。図１は、本発明に係る活水発生装置の一例を示し、（ａ）は水流方向断面概略図、（ｂ）は図１（ａ）の円板３を示す平面図である。
【００１１】
この活水発生装置１０は、図１（ａ）に示すように筒状容器１の両端に水管結合部材２Ａ，２Ｂを配し、当該筒状容器１の両側に多数個の貫通孔を有する円板３と金属の細い線を丸めた金属束子４を配し、その間に水を活水化するべく活性化処理した線状金属材を備え、当該金属材の近傍を処理の対象となる水が通過することにより活水となる。
【００１２】
筒状容器１は、水の流量を１分間あたり４０リットルとしたとき直径を１０センチメートルから２０センチメートルとし、その長さ方向の一端部に処理の対象となる水が流入する水管結合部材２Ａが設けられ、その長さ方向他端部に筒状容器１からの活水が流出する水管結合部材２Ｂが設けられている。
【００１３】
表面近傍を通水することにより水を活水化するべく活性化処理した金属材５は、直径１ミリメートルから３ミリメートルの銅線とし、筒状容器１に適量充填されている。
【００１４】
筒状容器１の長さ方向両端部には、通水を妨げることのない程度に貫通孔を有する円板３を、その内側には金属の細い線を丸めた金属束子４を配置し、前記金属材５を保持している。
【００１５】
円板３は、図１（ｂ）に示すように、その厚さ方向に貫通する複数の貫通孔３Ａを有し、筒状容器１の両端に配置されている。なお、円板３に形成する貫通孔３Ａの個数や孔径は、筒状容器１の寸法や、対象となる水の流量に応じて適宜変更可能である。
【００１６】
本実施形態に係る活水発生装置１０は、例えば、排水処理プラントの一部として、あるいは水道管の一部として配置される。
【００１７】
本実施形態に係る活水発生装置１０は以下のように作用する。
【００１８】
イオン結合よりエネルギーの小さい水素結合で、水分子同志がハニカム構造のように結合されていることは物理化学的に立証されており、ハニカム構造の小さいものがクラスターの小さい水と言える。この水素結合は、水ばかりでなく、いろいろな分子結合やDNAの２重螺旋構造の結合にも関与している。そしてその結合エネルギーは、テラヘルツ帯の共鳴電磁波のエネルギー領域と近いことが証明されている。
【００１９】
ここで、処理の対象となる水が筒状容器１の内部を通過すると、活性化処理した金属材５からのエネルギー転写により共鳴電磁波の共振エネルギーが与えられる。水流の中では水分子間でのエネルギー授受転換が起こり水分子間の水素結合が分離される。
【００２０】
水分子のハニカム構造が小さくなり、一部水分子ハニカム構造からH+とOH-に分離され、
ｐＨが上昇し、ハニカム構造が小さくなった分、水分子間の隙間が小さくなり、溶存酸素が安定して保持できるようになる。また水素結合が分離され水素イオンとなるときに電子を放出し酸化還元電位が低下する。
【００２１】
すなわち、処理の対象となる水が筒状容器１の内部を通過すると、ｐＨが０．５から２程度上昇し、溶存酸素量が１．５から２倍程度多くなり、酸化還元電位が０ｍＶ程度になる。さらには有機溶媒塗料との相溶等が可能となる。
【００２２】
上述の実施形態に係る活水発生装置１０は上記の構成に限定されるものではなく、種々の変更を加えることができる。
【００２３】
例えば、上述の実施形態においては、活性化処理した金属材５の形状は線状のものを使用したが、必ずしも線状のものを使用する必要はない。例えば、板状の金属材を筒状容器１に充填して使用することにより、活水発生手段を形成することも可能である。また、球状のもの、多角形のもの、コイル状のもの、網状のもの、粉体状のもの、これらを組み合わせたもの、を使用することにより活水発生手段を形成することも可能である。
【００２４】
さらに、活性化処理した金属材５は、鍍金処理されたもの、酸化処理されたもの、被覆されたもの、これらを組み合わせたものを使用することにより、活水発生手段を形成することも可能である。
【００２５】
さらに、活性化処理した金属材は銅を使用したが、必ずしも銅を使用する必要はない。例えば、アルミニウムや白金等を使用することにより、活水発生手段を形成することも可能である。また、銅合金、アルミニウム合金等、または、これらを組み合わせたものを使用することにより活水発生手段を形成することも可能である。
【図面の簡単な説明】
【００２６】
【図１】本発明に係る活水発生装置の一例であり、（ａ）は水流方向断面概略図、（ｂ）は図１（ａ）の円板３を示す平面図である。
【符号の説明】
【００２７】
１    筒状容器
２Ａ  水管結合部材
２Ｂ  水管結合部材
３    多数個の貫通孔を有する円板
４    金属の細い線を丸めた金属束子
５    活性化処理した金属材
１０    活水発生装置
【図１】
2009285562.tif 000003